(57)【要約】【課題】  単一の光導電層を有する正帯電型有機感光体に対して例えばブラシ帯電を行った場合でも、初期の段階においてもかぶりを発生させることなく均一な帯電を行う画像形成方法を得る。【解決手段】  電子写真方式により画像を形成するに、電荷発生剤、正孔輸送剤、電子輸送剤、有機結着剤を含有する単一の光導電層を備える正帯電型有機感光体に対して、矩形のＡＣ重畳電圧を印加された接触帯電部材を接触させ、前記正帯電型有機感光体を接触帯電させて画像形成を行う。【選択図】        図１
2005338716.tif 000002
【特許請求の範囲】
【請求項１】
電子写真方式により画像を形成する画像形成方法であって、
電荷発生剤、正孔輸送剤、電子輸送剤、有機結着剤を含有する単一の光導電層である正帯電型有機感光体に対して、矩形のＡＣ重畳電圧を印加された接触帯電部材を接触させ、前記正帯電型有機感光体を接触帯電させて画像形成を行う画像形成方法。
【請求項２】
前記画像形成に際して、前記正帯電型有機感光体と当該正帯電型有機感光体を支持する支持体との間にアルマイト層を備えた感光体ドラムを使用する請求項１記載の画像形成方法。
【請求項３】
電荷発生剤、正孔輸送剤、電子輸送剤、有機結着剤を含有する単一の光導電層である正帯電型有機感光体、前記正帯電型有機感光体に接触して帯電させる接触帯電部材、及び前記接触帯電部材にＡＣ重畳電圧を印加する重畳電圧印加機構を備え、
前記正帯電型有機感光体を表面に備えた感光体ドラムが、前記正帯電型有機感光体の内面側にアルマイト層を備え、
前記接触帯電部材が帯電ブラシであるとともに、
前記重畳電圧印加機構が、前記ＡＣ重畳電圧を矩形波で前記帯電ブラシに印加する画像形成装置。
【発明の詳細な説明】
【技術分野】
【０００１】
本願は、電子写真式の画像形成方法及びこの方法を使用する画像形成装置に関する。
【背景技術】
【０００２】
複写機、ファクシミリ、プリンターなどの電子写真式の画像形成装置においては、感光体を一様に主帯電し、所定の画像情報に基づいての光照射により画像露光して静電潜像を形成し、この静電潜像を現像し、感光体表面にトナー像を形成する。このようにして感光体表面に形成されたトナー像は転写紙に転写され、転写後の転写紙は、定着装置に導入され、熱、圧力により、トナー像の転写紙表面への定着が行われる。
【０００３】
一方、転写終了後においては、感光体表面に残存するトナーがクリーニングされ、さらに必要により除電が行われ、これにより、画像形成行程の１サイクルが完了する。
【０００４】
電子写真方式における主帯電は、従来、一般的にスコトロン帯電機によるコロナ放電により行われてきたが、コロナ放電を行うと人体に対し悪影響を及ぼすオゾンやノックスが発生する。そこで、オゾンレス化を達成する一手段として、ブラシ帯電等を使用した接触帯電方式が提案されている。
例えば、ブラシ帯電方式では、ナイロンやレーヨン等の化繊に導電性物質（主にカーボン）を練り込むことで導電性繊維を得、これを束にしてブラシを形成し、このブラシを感光体表面に接触させるとともに電圧を印加して、感光体を帯電させる（例えば特許文献１）。
【０００５】
他方、感光体としては、本願に係る、電荷発生剤、正孔輸送剤、電子輸送剤、有機結着剤を含有する単一の光導電層である正帯電型有機感光体（正帯電型単層有機感光体とも呼ばれる）と、それぞれ異なった機能を有する層を積層した積層型有機感光体がある（例えば特許文献２）。
【０００６】
所定複数種の機能剤を光導電層内に、ほぼ均等に分散させたこの種の正帯電型有機感光体は、安価であり、製造が容易であることから広く使用される傾向にある。さらに、単層型のものと積層型のものとを比較すると、単層型のほうが光感度において特に優れている。
【０００７】
【特許文献１】特開平７−２８１５０３号公報（図２）
【特許文献２】特開２００３−２９５４８７号公報
【発明の開示】
【発明が解決しようとする課題】
【０００８】
上記、従来の技術状況より、電子写真方式の画像形成を行おうとした場合、感光体としては単一の光導電層である正帯電型単層有機感光体を、帯電部材としては接触型の帯電ブラシ等を採用するのが好ましいのであるが、発明者らの研究により、この構成を採用する場合、以下の問題が発生することが明らかとなった。
【０００９】
即ち、正帯電型単層有機感光体に対してブラシ帯電を行うと、画像形成の初期段階から白紙部にかぶりを生じる。また、この状態のまま継続的に印字を続けると、このかぶりがさらに悪化する。
【００１０】
本発明はかかる問題を解決するための技術であり、その第一の目的は、単一の光導電層である正帯電型有機感光体に対して例えばブラシ帯電を行った場合でも、初期段階でもかぶりを発生させることない画像形成方法を得ることにある。
さらに第二の目的は、比較的長期間に亘って多数枚の画像形成を行っても、かぶりの問題が発生しない画像形成方法を得ることにある。
【課題を解決するための手段】
【００１１】
前記目的を達成するための電子写真方式により画像を形成する画像形成方法の特徴構成は、電荷発生剤、正孔輸送剤、電子輸送剤、有機結着剤を含有する単一の光導電層である正帯電型有機感光体に対して、矩形のＡＣ重畳電圧を印加された接触帯電部材を接触させ、前記正帯電型有機感光体を接触帯電させて画像形成を行うことにある。
【００１２】
先に示したように、電子写真式の画像形成方式に従った場合、正帯電型単層有機感光体を接触帯電方式で使用するのが好ましいのであるが、接触帯電部材の印加形態によって、初期段階（画像形成の開始段階）からかぶりを発生する場合と発生しない場合とがあることが判明した。
【００１３】
即ち、本願で採用する感光体では、ＡＣ重畳電圧が矩形波である場合にはかぶりが発生しないが、例えば連続的に電圧が変化するサイン波等の場合は、かぶりが発生する。ここで、本願にいう矩形波とは、その電圧が、最低電圧から最高電圧まで、時間軸に対してほぼ直交して変化する電圧変化部と、その最高電圧もしくは最低電圧において一定時間電圧が維持される電圧維持部を交互に有する波を意味する。
【００１４】
発明者らの検討によると、所謂、積層型の有機感光体にあっては、当該ＡＣ重畳電圧をサイン波としても、かぶりの問題は発生しない。このような現象が発生する理由は明らかでないが、発明者らは、本願が採用する感光体を使用しようとすると、ＡＣ重畳電圧が経時的に徐々に変化する場合、感光体表面に、表面電位計であっても計測できないような微小な電位の落ち込み（表面電位の不均一）が発生し、かぶりを発生される要因となるものと推測している。
【００１５】
従って、本願で採用するような独特の感光体を使用して、画像形成の初期よりかぶりの発生を防止するには、ＡＣ重畳電圧を矩形波とすることで、この目的を達成できる。
【００１６】
上記の第二の目的を達成するには、前記画像形成に際して、前記正帯電型有機感光体と当該正帯電型有機感光体を支持する支持体との間にアルマイト層を備えた感光体ドラムを使用することが好ましい。
このように、感光体とこの感光体を支持する支持体（感光体ドラムの場合は感光体ドラムのドラム筒本体）との間にアルマイト層を設けると、この層が高抵抗層として働き、画像形成を長期に亘って継続した場合も、感光体の抵抗低下（ダメージ）を抑制することができ、結果的に画像形成を継続しても、かぶりが発生する、あるいはかぶりが悪化する等の問題を解消することができる。
【００１７】
これまで説明してきた本願に係る画像形成方法を使用する画像形性装置としては、電荷発生剤、正孔輸送剤、電子輸送剤、有機結着剤を含有する単一の光導電層である正帯電型有機感光体、前記正帯電型有機感光体に接触して帯電させる接触帯電部材、及び前記接触帯電部材にＡＣ重畳電圧を印加する重畳電圧印加機構を備え、
前記正帯電型有機感光体を表面に備えた感光体ドラムが、前記正帯電型有機感光体の内面側にアルマイト層を備え、
前記接触帯電部材が帯電ブラシであるとともに、
前記重畳電圧印加機構が、前記ＡＣ重畳電圧を矩形波で前記帯電ブラシに印加するものとすることで装置を構成できる。
【発明の効果】
【００１８】
上記構成を採用することにより、単一の光導電層である正帯電型有機感光体に対して例えばブラシ帯電を行った場合でも、初期段階でもかぶりを発生させることない画像形成方法を得ることができた。
さらに、比較的長期間に亘って多数枚の画像形成を行っても、かぶりの問題が発生しない画像形成方法を得ることができた。
【発明を実施するための最良の形態】
【００１９】
以下、本発明の実施例を図面に基づいて説明する。
説明にあたっては、まず、本願に係る画像形成方法を使用する画像形成装置に関して説明するとともに、次に、発明者らが本願発明の完成に至った試験結果に関して説明する。
【００２０】
１  本願に係る画像形成装置
ａ  画像形成装置の概略
電子写真方式を採用する画像形成装置の要部構成を図１に示した。
同図に示すように、この方式を採用する画像形成装置は、表面に感光体１を備えた感光体ドラム２の周部に、帯電部３、露光部４、現像部５、転写部６、クリーニング部７、除電部８を備えて構成されており、前記転写部６より転写紙９の搬送経路で、その下流側には定着部１０が備えられている。
【００２１】
画像形成は、帯電部３において感光体１を一様に主帯電し、露光部４において所定の画像情報に基づいての光照射により画像露光して静電潜像を形成し、現像部５においてこの静電潜像を現像し、感光体表面にトナー像を形成する。
【００２２】
このようにして感光体表面に形成されたトナー像は転写部６において転写紙９に転写され、トナー像が転写した転写紙９は、定着機構に導入され、熱、圧力により、トナー像の転写紙表面への定着が行われる。
【００２３】
一方、転写終了後においては、感光体表面に残存するトナーがクリーニング部７においてクリーニングされ、さらに必要により除電部８において除電が行われ、これにより、画像形成行程の１サイクルが完了し、次の画像形成に移ることができる。
【００２４】
さて、本願に係る画像形成装置は、上述の電子写真方式を踏襲するものであるが、その感光体１は、図２に示すように、電荷発生剤１ａ、電子輸送剤１ｂ、正孔輸送剤１ｃ、有機結着剤１ｄを含有する単一の光導電層である正帯電型有機感光体とされており、帯電部３に、この正帯電型有機感光体に接触して帯電させる接触帯電部材１１を備えている。
【００２５】
さらに感光体ドラム２にあっては、前記正帯電型有機感光体１とドラム筒本体２ａの間に高抵抗層としてのアルマイト層２ｂが設けられ、前記接触帯電部材１１として、具体的には帯電ブラシが採用されている。
【００２６】
図１からも判明するように、帯電ブラシ１１は所定の軸周りに回転可能な回転型の回転ブラシとして構成され、このブラシは公知の導電性ブラシと同様に、化繊に導電性物質を練り込むことで導電性繊維１１ａを得て、これを束にしてブラシとしたものである。
【００２７】
この帯電ブラシ１１に電気的に接続する構成で、電源回路１２が設けられており、交流を直流に重畳した状態で、帯電ブラシ１１への印加が可能な構成が採用されている。本願にあっては、交流側の電圧印加を行う機構を重畳電圧印加機構と呼ぶ。この重畳電圧印加機構は、ＡＣ重畳電圧を矩形波形態で帯電ブラシ１１に印加する。
【００２８】
本願にあっては、これまでも説明してきたように、単一の光導電層である正帯電型有機感光体１にも特徴があるため、以下、この感光体１に関し詳細に説明する。
［正帯電型有機感光体］
正帯電型の単層有機感光体は、特定の電荷発生剤（ＣＧＭ）１ａを含有し、また電荷輸送剤（ＣＴＭ）としては、電子輸送剤（ＥＴＭ）１ｂと正孔輸送剤（ＨＴＭ）１ｃとを組み合わせで使用するものである。
【００２９】
（電荷発生剤１ａ）
電荷発生剤としては、化１に示す一般式（１ａ）で表されるメタルフリーフタロシアニン、または、化２に示す一般式（１ｂ）で表されるチタンフタロシアニンを、所望の領域で吸収波長域を有するように、単独或いは混合して用いる。
【００３０】
【化１】
2005338716.tif 000003
【００３１】
【化２】
2005338716.tif 000004
【００３２】
上記の一般式（１ａ）及び（１ｂ）において、芳香族環に結合し得る置換基Ｒは、ハロゲン原子、アルキル基、アラルキル基、ニトロ基またはシアノ基である。かかる置換基Ｒのうち、アルキル基としては、メチル、エチル、プロピル、ブチル、アミル基等の炭素数６以下のものが挙げられ、アラルキル基としては、ベンジル、フェニルエチルなどを例示することができる。
【００３３】
（電荷輸送剤／電子輸送剤１ｂ）
電子輸送剤１ｂとしては、化３に示す一般式（２ａ）或いは化４に示す一般式（２ｂ）で表されるナフトキノン化合物を、単独又は組み合わせで使用する。
【００３４】
【化３】
2005338716.tif 000005
【００３５】
【化４】
2005338716.tif 000006
【００３６】
前記一般式（２ａ）中、Ｒ１は、アルキル基またはアリール基であり、Ｒ２は、アルキル基、アリール基、または式：−ＯＲ３（Ｒ３は、アルキル基またはアリール基）で表される基である。
上記Ｒ１〜Ｒ３におけるアルキル基としては、特に炭素数が６以下のもの、例えば、メチル基、エチル基、ｎ−プロピル基、ｉｓｏ−プロピル基、ｎ−ブチル基、イソブチル基、ｓｅｃ−ブチル基、ｔｅｒｔ−ブチル基、ペンチル基、ヘキシル基等を例示することができる。また、これらのアルキル基は、一部の水素原子がハロゲン原子或いは以下のアリール基で置換されていてもよい。また、Ｒ１〜Ｒ３におけるアリール基としては、フェニル基、トリル基、キシリル基、ビフェニル基、ｏ−テルフェニル基、ナフチル基、アントリル基、フェナントリル基等を例示することができる。これらのアリール基は、一部の水素原子が、前述したアルキル基やハロゲン原子で置換されていてもよい。
このような一般式（２ａ）で表されるナフトキノン化合物は、例えば特開平０９−１５１１５７号公報により公知であるが、これらの中でも、Ｒ２基が−ＯＲ３基であることが好ましく、最も好適には、Ｒ１がフェニル基またはメチル基であり、Ｒ３がｔｅｒｔ−ブチル基やベンジル基であるのがよい。
【００３７】
また、一般式（２ｂ）において、Ｒは、水素原子またはアルキル基であり、かかるアルキル基としては、メチル基、エチル基、ｎ−プロピル基、ｉｓｏ−プロピル基、ｎ−ブチル基、イソブチル基、ｓｅｃ−ブチル基、ｔｅｒｔ−ブチル基、ペンチル基、ヘキシル基等の炭素数６以下のものを例示することができる。
このような一般式（２ｂ）で表されるナフトキノン化合物は、例えば特開平５−９２９３６号公報等に開示されている。尚、前述した感光体厚みと露光後電位との関係特性が損なわれない限りにおいて、上記のナフトキノン化合物を、電子輸送剤として公知の電子受容性物質と併用することもできる。
【００３８】
（電荷輸送剤／正孔輸送剤１ｃ）
本願に係る感光体１は、ナフトキノン化合物を電子輸送剤１ｂとして含有するが、これと組み合わせで正孔輸送剤１ｃを使用する。
このような正孔輸送剤１ｃの組み合わせ使用により、光感度を一層向上させることができる。感光体厚みと露光後電位との関係特性を発現させる上で、化５、化６、化７、化８、化９に示す、一般式（３ａ）〜（３ｈ）で表されるスチルベン系化合物を、１種単独或いは２種以上の組み合わせで用いる。
【００３９】
【化５】
2005338716.tif 000007
【００４０】
【化６】
2005338716.tif 000008
【００４１】
【化７】
2005338716.tif 000009
【００４２】
【化８】
2005338716.tif 000010
【００４３】
【化９】
2005338716.tif 000011
【００４４】
一般式（３ａ）〜（３ｈ）において、ベンゼン環或いはナフテン環に置換基として結合し得るアルキル基Ｒとしては、特に炭素数が６以下のもの、例えば、メチル基、エチル基、ｎ−プロピル基、ｉｓｏ−プロピル基、ｎ−ブチル基、イソブチル基、ｓｅｃ−ブチル基、ｔｅｒｔ−ブチル基、ペンチル基、ヘキシル基等を例示することができるが、中でも炭素数が４以下のものが最適である。また、これらのアルキル基は、一部の水素原子がハロゲン原子で置換されていてもよい。
【００４５】
（有機結着剤１ｄ）
電荷発生剤１ａや電荷輸送剤を分散させる樹脂媒質としては、種々の樹脂を使用する。例えば、スチレン系重合体、アクリル系重合体、スチレン−アクリル系重合体、エチレン−酢酸ビニル共重合体、ポリプロピレン、アイオノマー等のオレフィン系重合体、ポリ塩化ビニル、塩化ビニル−酢酸ビニル共重合体、ポリエステル、アルキッド樹脂、ポリアミド、ポリウレタン、エポキシ樹脂、ポリカーボネート、ポリアリレート、ポリスルホン、ジアリルフタレート樹脂、シリコーン樹脂、ケトン樹脂、ポリビニルブチラール樹脂、ポリエーテル樹脂、フェノール樹脂や、エポキシアクリレート等の光硬化型樹脂等、各種の重合体が例示できる。
これらの結着剤である樹脂は、一種または二種以上混合して用いることもできる。好適な樹脂は、スチレン系重合体、アクリル系重合体、スチレン−アクリル系重合体、ポリエステル系樹脂、アルキッド樹脂、ポリカーボネート、ポリアリレート等である。
【００４６】
（感光体組成）
感光体１は、前述した電荷発生剤１ａ，電子輸送剤１ｂと正孔輸送剤１ｃとが結着剤１ｄに分散された単一の感光体とされるものである。
かかる単層有機感光体において、一般式（１ａ）或いは（１ｂ）で表されるフタロシアニン系の電荷発生剤（ＣＧＭ）１ａは、固形分当たり１乃至１０重量％、特に３乃至５重量％の範囲の量で感光体中に含有するのが好適である。
【００４７】
一方、一般式（２ａ）或いは（２ｂ）で表されるナフトキノン系電子輸送剤１ｂは、固形分当たり３乃至１００重量％、特に５０乃至８０重量％の範囲の量で感光体中に含有するのが好適である。
【００４８】
また、上記ナフトキノン系電子輸送剤（ＥＴ）１ｂと、一般式（３ａ）〜（３ｈ）で表されるスチルベン系正孔輸送剤（ＨＴ）１ｃとは、重量比で、ＥＴ：ＨＴ＝１０：１乃至１：１０、特に１：５乃至１：１の範囲にあるのが最もよい。
【００４９】
このような正帯電型単層有機感光体１において、感光体の初期厚みは、一般に２５乃至１００μｍ、特に３０乃至５０μｍの厚みとされる。
【００５０】
（感光体１の作成）
上述した感光体の形成に用いる感光体形成用組成物には、電子写真学的特性に悪影響を及ぼさない範囲で、それ自体公知の種々の配合剤例えば、酸化防止剤、ラジカル捕捉剤、一重項クエンチャー、ＵＶ吸収剤、軟化剤、表面改質剤、消泡剤、増量剤、増粘剤、分散安定剤、ワックス、アクセプター、ドナー等を配合させることができる。
【００５１】
また、感光体の少なくとも上層に全固形分当たり０．１乃至５０重量％の立体障害性フェノール系酸化防止剤を配合すると、電子写真学的特性に悪影響を与えることなく、感光体の耐久性を顕著に向上させることができる。
【００５２】
感光体を設ける導電性基板としては、導電性を有する種々の材料が使用でき、例えば、アルミニウム、銅、錫、白金、金、銀、バナジウム、モリブデン、クロム、カドミウム、チタン、ニッケル、インジウム、ステンレス鋼、真鍮等の金属単体や、上記金属が蒸着またはラミネートされたプラスック材料、ヨウ化アルミニウム、酸化錫、酸化インジウム等で被覆されたガラス等が例示される。
本発明では、通常のアルミニウム素管、特に膜厚が１乃至５０μｍとなるようにアルマイト処理を施した素管を好適に用いる。
【００５３】
感光体を形成させるには、電荷発生剤、電荷輸送剤及び結着樹脂の組み合わせを、従来公知の方法、例えば、ロールミル、ボールミル、アトライタ、ペイントシェイカーあるいは超音波分散器等を用いて塗布用組成物を調製し、従来公知の塗布手段により塗布し、乾燥する。
【００５４】
塗布液を形成するのに使用する溶剤としては、種々の有機溶剤が使用でき、メタノール、エタノール、イソプロパノール、ブタノール等のアルコール類、ｎ−ヘキサン、オクタン、シクロヘキサン等の脂肪族系炭化水素、ベンゼン、トルエン、キシレン等の芳香族炭化水素、ジクロロメタン、ジクロロエタン、四塩化炭素、クロロベンゼン等のハロゲン化炭化水素、ジメチルエーテル、ジエチルエーテル、テトラヒドロフラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアミド、ジメチルスルホキシド等、種々の溶剤が例示され、一種または二種以上混合して用いられる。塗布液の固形分濃度は一般に５乃至５０％とするのがよい。
【００５５】
［画像形成行程］
以下、上述の感光体１を用いての画像形成に関して、本願の特徴構成に係る項目である主帯電に関して、条件を箇条書き形式で説明する。
【００５６】
帯電ブラシを使用した接触帯電方式
帯電ブラシの抵抗              ：５ｌｏｇΩ
ブラシ密度                    ：２４０，０００本／ｉｎｃｈ２
ブラシを形成する繊維の太さ    ：２デニール
ブラシ先端の感光体への食込み量：０．５ｍｍ
ここで食込み量とは、感光体が無ければブラシ先端が感光体表面からその内部に食い込む量である。
ブラシの回転方向              ：感光体回転方向と同方向
ブラシに対する印加電圧
交流（ＡＣ）バイアス電圧  ：１．２ＫＶ
交流周波数                ：１ＫＨｚ
交流波形                  ：矩形
直流（ＤＣ）バイアス電圧  ：４００Ｖ
上記条件下で、画像形成を繰り返したところ、１００×１０３枚の試験でもかぶりの問題を発生することは無かった。
【００５７】
従って、本願に係る画像形成装置にあっては、電荷発生剤１ａ、電子輸送剤１ｂ、正孔輸送剤１ｃ、有機結着剤１ｄを含有する単一の光導電層である正帯電型有機感光体１に対して、矩形のＡＣ重畳電圧を印加された接触帯電部材１１を接触させ、前記正帯電型有機感光体１を接触帯電させて画像形成を行うこととなり、この場合に、正帯電型有機感光体１と当該正帯電型有機感光体を支持する支持体２ａとの間にアルマイト層２ｂを備えた感光体ドラム２を使用することとなる。
【００５８】
２．実証試験結果
以上、本願に係る画像形成装置に関して説明するとともに、その画像形成方法に関して説明したが、以下に発明者らが行った実証試験結果について説明する。結果の評価を以下の表２に示した。
上記した一般手法に従って調整した正帯電型有機感光体形成用の塗布液を、３０ｍｍの直径のアルミ素管上に塗布し、乾燥させて、種々の厚みの感光体を有する正帯電型単層有機感光体を作成した。アルミ素管に表面はアルマイト処理を施したものと施さないものとを使用した。さらに具体的には、感光層は２７μｍの厚さ、アルマイト層の厚さは６μｍとした。
【００５９】
また、塗布液の調整においては、有機結着剤１ｄとして、帝人化成社製のポリカーボネート樹脂（ＴＳ２０５０／ＲＶ）を使用し、且つ、電子受容体としてキノン化合物を使用し、以下の配合で、電荷発生剤、電子輸送剤及び正孔輸送剤を組み合わせて溶媒に溶解乃至分散させて塗布液を調製した。
【００６０】
【表１】
2005338716.tif 000012
【００６１】
即ち、この試験に際しては、正帯電型有機感光体として上記本願に係る画像形成装置で採用したと同様な感光体を採用し、帯電ブラシ１１の印加波形を矩形波とサイン波とに分けて検討するとともに、感光体ドラム２に関しては、感光体の内側にアルマイト層２ｂを有するものと有しないものとで比較検討した。
試験における条件の組み合わせ、及びかぶりの発生状況は以下の通りである。
ここで、重畳ＡＣ電圧の周波数は装置と同様に１ＫＨｚとした。
【００６２】
【表２】
2005338716.tif 000013
【００６３】
具体的な画像形成枚数と評価結果を図３に示す図表に示した。
実施例１では、アルマイト層を設けたドラムに対し、矩形波ＡＣバイアスを印加したところ、初期かぶりはなく、その後１００×１０３枚まで印字したが、かぶりの発生はなかった。
実施例２では、従来構成の感光体（アルマイト層なし）を矩形波ＡＣバイアスにて帯電させた場合、初期はかぶりが発生しなかったが、５０００枚程印字するとわずかにかぶりが認められ、その後、かぶりは解消しなかった。
比較例１では、アルマイト層を設けたドラムを、サイン波ＡＣバイアスにて帯電させたが、初期から著しいかぶりが発生した。
比較例２として、アルマイト層なしのドラムにサイン波ＡＣバイアスで帯電させた例を示す。初期から著しいかぶりが発生した。
纏めると、矩形波ＡＣバイアスを用いることにより、初期のかぶりを防止でき、アルマイト層を設けることによりかぶりに対する耐久性を挙げることができる。
【００６４】
以上の現象から、かぶりに関して発明者らは、以下のように考えている。
本願構成にあって発生するかぶりは、その原因が異なる二種のかぶりがある。まず、矩形波バイアスにて回避できるかぶりは表面電位の不均一性に起因していると考えられ、サイン波では表面電位計では検出できない微小な電位の落ち込みが存在し、微量のトナーが付着することによりかぶりを発生するものと考える。
【００６５】
他方、アルマイト層にて回避できるかぶりは、帯電ブラシにより近接帯電すると、感光体のあらゆる場所において抵抗が著しく低下し（感光体がダメージを受ける）、表面電位が乗らずに微量のトナーが付着しかぶりになるものと考えられる。従って、このかぶりは、初期かぶりと異なり、耐刷によって生じるかぶりは不可逆なかぶりである。
【００６６】
〔別実施例〕
・  上記の実施の形態では、矩形波の波形に関して、そのデュティー比に関しては通常の５０％のものとして説明したが、この点に関しては、印加の性質上変更することはできない。
・  上記の実施の形態では、矩形波に関して、そのＡＣ＋ＤＣバイアス（Ｖｐｐ、Ｖｄｃ）及び周波数に関して、Ｖｐｐ；１．２ＫＶ，Ｖｄｃ；４００ｖ，１ＫＨｚとしたが、Ｖｐｐとして１．０〜１．４ＫＶの範囲内の電圧を、Ｖｄｃとして感光体の特性に合致した表面電位（通常、２５０〜８００ｖの範囲内にある）を、さらに周波数として７００〜１３００ＫＨｚの範囲内の周波数を採用できる。
【図面の簡単な説明】
【００６７】
【図１】本願に係る画像形成装置の要部構成を示す図
【図２】本願に係る感光体ドラムの断面構成を示す図
【図３】実証実験結果を示す説明図表
【符号の説明】
【００６８】
１        正帯電型有機感光体
１ａ      電荷発生剤
１ｂ      電子輸送剤
１ｃ      正孔輸送剤
１ｄ      有機結着剤
２        感光体ドラム
３        帯電部
９        転写紙
１２      電源回路
【図１】
2005338716.tif 000014
【図２】
2005338716.tif 000015
【図３】
2005338716.tif 000016